(57)【要約】  種々の実施形態は、ユーザデバイスにアクセサリを容易かつ固定的に取り付け可能な、ユーザデバイス用の無線アクセサリバスに関する。より詳細には、無線アクセサリバスは、アクセサリとユーザデバイスとが互いにごく近傍に位置している際（例えば、アクセサリが無線アクセサリバスに固定的に取り付けられている際）に、アクセサリとユーザデバイスとの間でデータを無線送信することを可能にする。また、電力についても、ユーザデバイスからアクセサリへと（又は逆方向に）無線送信することができる。すなわち、ユーザデバイスを、アクセサリ用の電源として機能させることができる。いくつかの実施形態では、ユーザデバイスとアクセサリとを互いに時期的に固定可能な（１つ以上の）係着コンポーネントを含んでいる。該アクセサリによって、ユーザデバイスが新たな機能又は既存の機能を改善したものを容易に利用できるようになる。【選択図】なし【特許請求の範囲】
【請求項１】
無線アクセサリバスを含んでいるハウジングと、
前記ハウジングに関連付けられた１つ以上の磁石であって、アクセサリが前記ハウジングの前記無線アクセサリバスに係着されている際に、前記アクセサリを前記ハウジング及び前記無線アクセサリバスに対して所定の向きに維持するように配置されている、１つ以上の磁石と、
前記ハウジング内に配置された電源と、
前記アクセサリが前記ハウジングの前記無線アクセサリバスに係着されている際に、前記電源に結合されて電力を前記アクセサリへと無線伝送する電力送信器と、
前記ハウジング内に配置された無線送受信器であって、前記アクセサリが前記ハウジングの前記無線アクセサリバスに係着されている際に、前記アクセサリとの情報の双方向交換を自動的に遂行する無線送受信器と
を備えている、電子ユーザデバイス。
【請求項２】
前記双方向交換は、近距離通信（ＮＦＣ）プロトコル、無線ユニバーサルシリアルバス（ＵＳＢ）プロトコル、Ｂｌｕｅｔｏｏｔｈプロトコル、ＷｉＦｉプロトコル、セルラーデータ通信プロトコル及び独自のポイント・ツー・ポイント・プロトコルのうち任意のものを使用して遂行される、請求項１に記載の電子ユーザデバイス。
【請求項３】
タッチ感知式ディスプレイであって、前記タッチ感知式ディスプレイとのユーザ対話に応答して信号を生成するように構成された、タッチ感知式ディスプレイと、
メモリと、
前記タッチ感知式ディスプレイに結合されたプロセッサと
をさらに備えている、請求項１に記載の電子ユーザデバイス。
【請求項４】
前記電源は、前記プロセッサに、前記タッチ感知式ディスプレイに、及び、前記電力送信器を介して前記アクセサリに、同時に電力を提供する、請求項３に記載の電子ユーザデバイス。
【請求項５】
前記プロセッサは、
前記アクセサリに関連付けられたアプリケーションが前記メモリ内に格納されているかを判定し、
前記アプリケーションが前記メモリ内にない場合には、
前記アプリケーションをネットワークアクセス可能なデジタル配布プラットフォームからダウンロードして、
前記アクセサリが前記ハウジングの前記無線アクセサリバスに係着されているとの判定に応答して、前記アプリケーションを自動的に開始し、
前記アプリケーションが前記メモリ内にある場合には、
前記アクセサリが前記ハウジングの前記無線アクセサリバスに係着されているとの判定に応答して、前記アプリケーションを自動的に開始する、
ように構成されている、請求項３に記載の電子ユーザデバイス。
【請求項６】
前記無線アクセサリバスは、複数のアクセサリを前記電子ユーザデバイスが同時に取り付けて使用することを可能にする、請求項１に記載の電子ユーザデバイス。
【請求項７】
前記アクセサリは、深度センサ、外部記憶デバイス、カメラ、補助電源、レーザ距離計、ディスプレイ又はメモリカードリーダを含んでいる、請求項１に記載の電子ユーザデバイス。
【請求項８】
前記無線アクセサリバスは、前記ハウジングにおける切れ目内に配置され、前記切れ目は、非金属材料からなる保護基板を含んでいる、請求項１に記載の電子ユーザデバイス。
【請求項９】
前記切れ目内にて前記保護基板の下方に配置された１つ以上の発光ダイオード（ＬＥＤ）であって、前記アクセサリに関する情報を前記電子ユーザデバイスのユーザへと伝達するように構成されている、１つ以上のＬＥＤをさらに含んでいる、請求項８に記載の電子ユーザデバイス。
【請求項１０】
前記電源は、充電式リチウムイオン（Ｌｉ−Ｉｏｎ）電池、充電式ニッケル金属水素化物（ＮｉＭＨ）電池又は充電式ニッケルカドミウム（ＮｉＣａｄ）電池のうち任意のものを含んでいる、請求項１に記載の電子ユーザデバイス。
【請求項１１】
電子ユーザデバイス用のアクセサリであって、
電子ユーザデバイスの無線アクセサリバスに取り外し可能に接続可能なハウジングと、
前記ハウジング内に配置された１つ以上の磁石であって、前記アクセサリが前記電子ユーザデバイスの前記無線アクセサリバスに所定の向きで固定的に取り付けられることを可能にする、１つ以上の磁石と、
データ信号を生成するように構成されたプロセッサであって、前記データ信号のコンテンツは、前記アクセサリによって可能になる機能に関連している、プロセッサと、
前記ハウジング内に配置された無線送受信器であって、
前記無線送受信機は、前記ハウジングが前記電子ユーザデバイスの前記無線アクセサリバスに固定的に取り付けられている際に、前記データ信号を前記電子ユーザデバイスへと送信するように動作可能であり、
前記１つ以上の磁石は、前記無線送受信器を、前記電子ユーザデバイスの前記無線送受信器と整列又は該無線送受信機の近傍に配置させ、それによって前記アクセサリと前記電子ユーザデバイスとの無線通信を可能にする、
無線送受信器と
を備えている、アクセサリ。
【請求項１２】
前記プロセッサ及び前記無線送受信機に結合された電力受信器であって、前記アクセサリの外部にある源によってアクセサリへと無線伝送される電力を受信するように構成された電力受信器をさらに備えている、請求項１１に記載のアクセサリ。
【請求項１３】
電力の前記源が、前記電子ユーザデバイスの電源である、請求項１２に記載のアクセサリ。
【請求項１４】
前記アクセサリの前記無線送受信器は、前記ユーザデバイスの前記無線送受信器と双方向通信プロトコルを介して通信するように構成されており、前記双方向通信プロトコルは、近距離通信（ＮＦＣ）プロトコル、Ｂｌｕｅｔｏｏｔｈプロトコル、ＷｉＦｉプロトコル、セルラーデータ通信プロトコル及び独自のポイント・ツー・ポイント・プロトコルのうち任意のものである、請求項１１に記載のアクセサリ。
【請求項１５】
それぞれが視野を有する複数のデジタルカメラであって、
対応する複数の前記視野が前記アクセサリを取り巻く環境についての実質的に３６０°の視野を形成するように配置されている、複数のデジタルカメラと、
前記複数のデジタルカメラによって生成された画像データを格納するように構成されたメモリと
をさらに備えている、請求項１１に記載のアクセサリ。
【請求項１６】
前記複数のデジタルカメラによって生成されて前記メモリ内に格納された前記画像データを処理するように構成された画像処理モジュールをさらに備えている、請求項１５に記載のアクセサリ。
【請求項１７】
前記ハウジングが前記電子ユーザデバイスの前記無線アクセサリバスに固定的に取り付けられている際に前記電子ユーザデバイスによって実行されるオペレーティングシステムにとってアクセス可能なメモリをさらに備えている、請求項１１に記載のアクセサリ。
【請求項１８】
前記プロセッサに結合されたディスプレイであって、
前記プロセッサは、前記無線送受信器にて受信された前記電子ユーザデバイスからの信号に基づいて、前記ディスプレイにコンテンツを表示させるように構成されており、
前記プロセッサは、前記電子ユーザデバイスとのユーザ対話における指示を受信したことに応答して、前記コンテンツを修正するように構成されている、ディスプレイ
をさらに備えている、請求項１１に記載のアクセサリ。
【請求項１９】
前記ディスプレイは、電子インクディスプレイ、液晶ディスプレイ（ＬＣＤ）又は発光ダイオード（ＬＥＤ）ディスプレイである、請求項１８に記載のアクセサリ。
【請求項２０】
前記電子ユーザデバイスに電気的に結合されている電力送受信器と、
前記ハウジング内に配置された補助電源であって、前記ハウジングが前記電子ユーザデバイスの前記無線アクセサリバスに固定的に取り付けられていると共に前記電子ユーザデバイスが最大電力より少ない状態にあるとの判定に応答して、前記電力送受信器が前記補助電源内に格納された電力を前記電子ユーザデバイスへと伝送するように構成された、補助電源と
をさらに備えている、請求項１１に記載のアクセサリ。
【請求項２１】
ユーザデバイスを提供するステップであって、該ユーザデバイスが、
アクセサリを受けるように構成された無線アクセサリバスを含んでいるハウジングと、
充電式電源と、
前記充電式電源と結合されており、電力を前記アクセサリへと無線伝送するように構成された電力送信器と、
前記アクセサリと双方向通信プロトコルを介して通信するように構成された無線送受信器と
を含んでいる、ステップと、
前記アクセサリを前記無線アクセサリバスと接触させることによって、ユーザが前記アクセサリを前記ユーザデバイスに固定的に取り付けられることを可能にするステップと、
前記アクセサリが前記ユーザデバイスの前記無線アクセサリバスに固定的に取り付けられているかどうかを監視するステップと、
前記アクセサリが前記ユーザデバイスの前記無線アクセサリバスに固定的に取り付けられているとの判定に応答して、
前記ユーザデバイスの前記充電式電源を、前記アクセサリの電力受信器に電気的に結合するステップと、
前記ユーザデバイスの前記無線送受信器を、前記アクセサリの無線送受信器に通信可能に結合するステップと、
前記ユーザデバイスが前記アクセサリによって可能になる機能を利用することを可能にするステップと
を行うステップと
を備えている、方法。
【請求項２２】
前記電気的に結合するステップは、前記アクセサリが前記ユーザデバイスによって電力供給されることを可能にする、請求項２１に記載の方法。
【請求項２３】
前記通信可能に結合するステップは、
前記ユーザデバイスの前記無線送受信器と前記アクセサリの前記無線送受信器との間の無線通信チャンネルを開始するステップをさらに備えている、請求項２１に記載の方法。
【請求項２４】
前記電気的に結合するステップは、
電気的接点同士の物理的結合を用いずに無線で行われる、請求項２１に記載の方法。
【請求項２５】
前記電気的に結合するステップは、前記ユーザデバイス上に位置する電気的接点と前記アクセサリ上に位置する電気的接点との間の物理的接続を開始及び維持することにより行われる、請求項２１に記載の方法。
【請求項２６】
アクセサリを受けるように構成された無線アクセサリバスを含んでいるハウジングと、
前記ハウジング内又は前記ハウジング上に配置された、前記アクセサリを固定的に受けるための手段であって、前記アクセサリバスに取り付けられた際に前記アクセサリが所定の向きになるように配置されている、受け手段と、
前記ハウジング内に配置された電源と、
前記電源に結合されており、電力を前記アクセサリへと無線伝送するように構成された電力送信器と、
前記ハウジング内に配置された無線送受信器であって、前記アクセサリと双方向通信プロトコルを介して通信するように構成された無線送受信器と
を備えている、電子ユーザデバイス。
【請求項２７】
プロセッサと、メモリとをさらに備え、前記メモリは、前記アクセサリに関連付けられたアプリケーションと、命令とを含んでおり、該命令は、前記プロセッサに実行された際に、
前記アクセサリが前記無線アクセサリバスに固定的に取り付けられているかどうかを監視する動作と、
前記アクセサリが前記無線アクセサリバスに固定的に取り付けられているとの判定に基づいて前記アプリケーションを開始する動作と、
前記アプリケーションにて、前記アクセサリと対話するというユーザの意思を示すユーザ入力を受信する動作と、
前記ユーザ入力に基づいて、前記無線送受信器を介して信号を前記アクセサリへと送信する動作と
を含む動作を前記プロセッサに実行させる命令である、
請求項２６に記載の電子ユーザデバイス。
【請求項２８】
前記受け手段は、１つ以上の磁石、磁性膜、機械的トラック又はクリップのうち任意のものを含んでいる、請求項２６に記載の電子ユーザデバイス。
【請求項２９】
前記電源は、前記電源が充電されることを可能にする機械的電力インタフェースを含んでいる、請求項２６に記載の電子ユーザデバイス。
【発明の詳細な説明】
【技術分野】
【０００１】
関連出願の相互参照
本出願は、２０１６年１０月２７日に出願された米国特許出願第１５／３３６，６５７号、２０１５年１０月３０日に出願された米国仮特許出願第６２／２４９，１３０号“MOBILE DEVICES AND MOBILE DEVICE ACCESSORIES（移動体デバイスおよび移動体デバイスアクセサリ）”（代理人整理番号１１９３０６−８００１．ＵＳ００）及び２０１６年４月４日に出願された米国仮出願第６２／３１８，１３０号“WIRELESS ACCESSORY BUS FOR ELECTRONIC DEVICES（電子デバイス用無線アクセサリバス）”（代理人整理番号１１９３０６−８００６．ＵＳ００）に対する優先権及びその利益を主張するものである。
【０００２】
関連分野
種々の実施形態は、概して、電子デバイス用アクセサリバスに関する。より詳細には、種々の実施形態は、電子デバイスにアクセサリを無線結合することが可能なアクセサリバスに関する。
【背景技術】
【０００３】
多くの電子デバイスでは、アクセサリを追加することによって、ユーザが新しい機能を追加したり、既存の機能を改善したりすることが可能になる。例えば、ビデオレコーダ（「ウェブカメラ」）や入力デバイス（例えば、マウス及びキーボード）、外部記憶デバイスは、パーソナルコンピュータに容易に接続することができる。これらのアクセサリは、典型的には、（例えば、ユニバーサルシリアルバス（ＵＳＢ）ポートを介した）有線接続や、（例えば、ＷｉＦｉアダプタ又はＢｌｕｅｔｏｏｔｈチップを介した）無線接続を通じて、電子デバイスに接続される。
【０００４】
有線接続では、アクセサリが電気デバイスから十分な電力を確実に一貫して受信することができる。例えば、外部記憶デバイスは、ユーザデバイスのＵＳＢポートとの単一の有線接続を介して、データを伝送すると共に電力を受信するように構成されてもよい。しかしながら、有線接続は、審美的観点から望ましくなく、また、特定の場面では（例えば、アクセサリデバイスとユーザデバイスとの間のクリアなチャンネルが利用できない際には）実用的でないことも多い。一方、無線接続では、状況によっては接続性が弱かったり帯域幅が限られていたりすることがあり、このことは、ユーザがアクセサリを利用できるかどうかに影響する。さらに、無線アクセサリでは、典型的には専用の電源が必要となり、そのような電源は、通常は専用の有線接続を必要とするか（例えば、専用のＡＣ／ＤＣアダプタ）、定期的に交換される必要がある（例えば、電池）。
【発明の概要】
【０００５】
ユーザデバイスの無線アクセサリバスにアクセサリを固定的に取り付けるための技術が本明細書に記載されている。より詳細には、無線アクセサリバスは、アクセサリとユーザデバイスとが互いにごく近傍に位置している際（例えば、アクセサリが無線アクセサリバスに固定的に取り付けられている際）に、アクセサリとユーザデバイスとの間でデータを無線送信することを可能にする。また、電力についても、ユーザデバイスからアクセサリへと（又は逆方向に）無線送信することができる。すなわち、ユーザデバイスを、アクセサリ用の電源として機能させることができる。
【０００６】
通信チャンネル及び／又は電力伝送チャンネルは、アクセサリがユーザデバイスの無線アクセサリバスに固定的に取り付けられているとの判定に応じて開始され得る。いくつかの実施形態では、アクセサリ及びユーザデバイスは、互いに磁気的に添着される。例えば、アクセサリデバイス及びユーザデバイスの両方が、磁石を含んでいてもよい。これらの磁石は、互いに整列されて互いにごく近傍に配置された際に、アクセサリを所定の向きでユーザデバイスに添着させるものである。
【０００７】
アクセサリは、典型的には、ユーザデバイスに新しい機能を提供するか、既存の機能を改善する。例えば、アクセサリは、深度センサ／カメラ、外部記憶デバイス、デジタルカメラ、補助電源、ディスプレイ等を含むことができる。アクセサリは、ユーザデバイスに適合したケース又はカバーにも統合され得る。例えば、外部記憶デバイスを含むアクセサリが携帯電話のケースに統合されて、それにより携帯電話に追加の記憶容量を提供することができる。
【図面の簡単な説明】
【０００８】
本発明の１つ以上の実施形態は、添付図面の各図に例として示されているが、これらの図に限定されるものではない。図中では、同様の参照符号は、類似の要素を示す。
【０００９】
【図１Ａ】図１Ａは、ユーザデバイス内に存在する種々のコンポーネントを保護するハウジング内に配置されたディスプレイを含む従来のユーザデバイスの正面図である。
【図１Ｂ】図１Ｂは、オーディオポート及び電力ポートを表す従来のユーザデバイスの底面図である。
【図２】図２は、アクセサリを受けることが可能な無線アクセサリバスを含むユーザデバイスの背面図である。
【図３】図３は、無線アクセサリバスを含むユーザデバイスに取り付けられた種々のアクセサリを示す。
【図４】図４は、実質的に３６０°の視野を撮影可能な複数のデジタルカメラを有するカメラアクセサリの正面図、側面図、背面図を含む。
【図５】図５は、ユーザデバイス及びアクセサリの例示のコンポーネントを示す高レベルブロック図である。
【図６】図６は、アクセサリが取り外し可能に接続され得る無線アクセサリバスを含むユーザデバイスを製造するプロセスを示す。
【図７】図７は、アクセサリによって可能になる新たな機能又は改善された機能をユーザデバイスが利用できるようにするプロセスを示す。
【図８】図８は、本明細書に記載の少なくともいくつかの動作を実装可能な処理システムの一例を示すブロック図である。
【発明を実施するための形態】
【００１０】
本明細書には、ユーザデバイスの無線アクセサリバスにアクセサリを固定的に取り付けるための技術が記載されている。より詳細には、無線アクセサリバスは、アクセサリとユーザデバイスとが互いにごく近傍に位置している際（例えば、アクセサリが無線アクセサリバスに固定的に取り付けられている際）に、アクセサリとユーザデバイスとの間でデータを無線送信することを可能にする。また、電力についても、ユーザデバイスからアクセサリへと（又は逆方向に）無線送信することができる。
【００１１】
これらの技術は、新たな又は改善された機能を有することが望ましい任意の電子デバイス（以下、「ユーザデバイス」とも称する）と共に使用することができ、そのような電子デバイスとしては、例えば、パーソナルコンピュータ、タブレット、パーソナルデジタルアシスタント（ＰＤＡ）、携帯電話、ゲームコンソール（例えば、Sony PlayStation又はMicrosoft Xbox）携帯ゲームデバイス（例えば、Sony PSP又はNintendo 3DS）、音楽プレーヤー（例えば、Apple iPod Touch）、ウェアラブル電子デバイス（例えば、腕時計）、ネットワーク接続（「スマート」）デバイス（例えば、テレビ）及び他の携帯電子デバイスが挙げられる。
【００１２】
用語
本出願の全体にわたって使用される用語、略語及び表現の簡潔な定義について、以下に提示する。
【００１３】
本明細書における「一実施形態」又は「実施形態」への参照は、その実施形態に関連して記載された特定の機能、構造又は特性が、本開示の少なくとも1つの実施形態に含まれることを意味する。本明細書の種々の箇所において「一実施形態では」という句が現れた場合、必ずしも全てが同じ実施形態について参照しているわけではなく、必ずしも全てが他の実施形態と相互排他的な別個の又は代替の実施形態について参照しているわけでもない。さらに、記載される種々の機能は、いくつかの実施形態によって示されていてもよいが、他の実施形態によっては示されていなくてもよい。同様に、記載される種々の機能は、いくつかの実施形態の要件であってもよいが、他の実施形態の要件でなくてもよい。
【００１４】
文脈が明確に他を求めない限り、明細書及び特許請求の範囲を通じて、単語「含む」、「含んでいる」又はそれに類する単語は、排他的又は網羅的な意味ではなく、包括的な意味（換言すれば、「含むが、これに限定されない」という意味）で解釈されるものとする。本明細書で使用される場合、用語「接続」、「結合」又はその任意の変形は、２つ以上の要素間における、直接的又は間接的な任意の接続又は結合を意味する。要素間の結合又は接続は、物理的、論理的又はそれらの組み合わせであり得る。例えば、２つのコンポーネントは、互いに直接的に結合されてもよく、１つ以上の中間チャンネル又はコンポーネントを介して結合されてもよい。別の例としては、複数のデバイスは、互いに物理的な接続を共有せずに、デバイス間で情報を受け渡し可能となるように結合されてもよい。さらに、本明細書で使用される場合、単語「本明細書」、「上記」、「下記」及び類似の意味の単語は、本出願全体を参照するものとし、本出願の特定部分には参照しないものとする。文脈が許容する限り、詳細な説明中における単数又は複数の数字を使用する単語は、それぞれ複数又は単数を含んでいてもよい。２つ以上の項目の列挙に関連する単語「又は」は、該単語について以下の解釈の全てを網羅する：列挙内の項目のいずれか、列挙内の項目の全て及び列挙内の項目の任意の組み合わせ。
【００１５】
本明細書において、構成要素又は機能を「含んでもよい」、「含むことができる」、「含み得る」若しくは「含むことが可能であり得る」、又は、構成要素又は構成要素がある特性を「有していてよい」、「有することができる」、「有し得る」若しくは「有することが可能であり得る」と記載されている場合、その特定の構成要素又は機能は含まれている必要はなく、又は、その特性を有している必要はない。
【００１６】
用語「モジュール」は、ソフトウェア、ハードウェア又はファームウェアコンポーネントを広く参照する。モジュールは、典型的には、規定された（１つ以上の）入力を使用して有用なデータ又は他の出力を生成することが可能な機能コンポーネントである。モジュールは自己完結型であってもよく、なくてもよい。アプリケーションプログラム（「アプリケーション」とも称する）が１つ以上のモジュールを含んでいてもよく、モジュールが１つ以上のアプリケーションプログラムを含んでいてもよい。
【００１７】
詳細な説明において使用される用語は、特定の例と併せて使用されていたとしても、その用語の最も広く合理的な方法により解釈されることが意図されている。本明細書において使用される用語は、概して、本開示の文脈の範囲内で、かつ各用語が使用される具体的な文脈において、当技術分野における通常の意味を有する。便宜上、例えば、大文字、イタリック体及び／又は引用符を使用して、特定の用語を強調表示することがある。強調表示の使用は、用語の範囲及び意味には影響を与えない。同じ文脈では、用語が強調表示されているか否かにかかわらず、用語の範囲及び意味は同じである。要素又は機能が複数の方法で記述され得ることは理解されよう。
【００１８】
したがって、代替の言い回し及び同義語については、本明細書にて論じる用語の任意の１つ以上に使用することができ、本明細書において用語を詳述する又は論じるか否かについては、特別な意義はない。特定の用語について、同義語が提供されている。１つ以上の同義語の参照は、他の同義語の使用を排除するものではない。本明細書の任意の箇所における例（本明細書にて論じる任意の用語の例を含む）の使用は、単なる例示であり、本開示又は例示の用語の範囲及び意味をさらに限定することを何ら意図するものではない。同様に、本開示は、本明細書にて与えられた種々の実施形態には限定されない。
【００１９】
システムの概要
図１Ａは、ユーザデバイス１００内に存在する種々のコンポーネント（例えば、センサ、コネクタ、電源）を保護するハウジング１０６内に配置されたディスプレイ１０２を含む従来のユーザデバイス１００の前面図を示す。ハウジング１０６は、典型的には、金属又はプラスチックのような保護基板で構成される。いくつかの実施形態では、ディスプレイ１０２はタッチ感知式であり、ディスプレイ１０２の外面に接触したユーザに対して応答する信号を生成するように構成される。
【００２０】
ユーザデバイスは、ディスプレイ１０２からオフセットされたカメラ及びタッチ感知式ボタンのような他の機能もまた含み得る。カメラ及び／又はタッチ感知式ボタンは、ディスプレイ１０２を取り囲む不透明な辺縁であって、ユーザ対話に応答しない（すなわち、タッチ感知式ではない）不透明な辺縁内に配置されてもよい。不透明な辺縁は、ユーザデバイス１００内に存在する種々のコンポーネントを隠すためにしばしば使用される。
【００２１】
図１Ｂは、オーディオポート１０６及び電力ポート１０８を示す従来のユーザデバイス１００の底面図である。オーディオポート１０６（「オーディオジャック」とも称される）は、オーディオのようなアナログ信号を送信するために使用可能なレセプタクル又はジャックである。より詳細には、オーディオポート１０６は、典型的には、適切なプラグがオーディオポート１０６に挿入された際にオーディオ信号が容易に送信可能となる２つ、３つ、又は４つの接点を含む。例えば、ほとんどのスピーカーとヘッドフォンは、３．５ｍｍオーディオジャック用に設計されたプラグを含む。
【００２２】
電力ポート１０８（「電力ジャック」とも称される）は、ユーザデバイス１００が電源と物理的に直接接続できるようにする。例えば、電力ポート１０８は、マイクロＵＳＢアダプタ、３０ピンアダプタ、又はプロプライエタリバス（例えば、Apple Lightning）とのインタフェースを取ることができる。オーディオポート１０６及び電力ポート１０８は、共にアクセサリ（例えば、ヘッドホン、記憶デバイス）を従来のユーザデバイス１００に直接係着することを可能にし得る。しかしながら、上述したように、物理的な（すなわち、「有線」）接続は、審美的及び機能的理由のために望ましくないことも多い。
【００２３】
図１Ａ〜Ｂには携帯電話の例示が含まれているが、本明細書に記載される技術は、データ及び／又は電力を伝送するために物理ポートを取り除くことが望ましい他の電子デバイスと共に使用することもできる。例えば、同様の技術は、例えば、パーソナルコンピュータ、タブレット、パーソナルデジタルアシスタント（ＰＤＡ）、携帯電話、ゲームコンソール（例えば、Sony PlayStation又はMicrosoft Xbox）携帯ゲームデバイス（例えば、Sony PSP又はNintendo 3DS）、音楽プレーヤー（例えば、Apple iPod Touch）、ウェアラブル電子デバイス（例えば、腕時計）、ネットワーク接続（「スマート」）デバイス（例えば、テレビ）及び他の携帯電子デバイスと共に利用され得る。
【００２４】
図２は、アクセサリを受けることが可能な無線アクセサリバス２０２を含むユーザデバイス２００の背面図である。無線アクセサリバス２０２は、ユーザデバイス２００とアクセサリとが互いにごく近傍にある際に、ユーザデバイス２００からアクセサリ（又はその逆）へとデータ及び／又は電力を無線伝送することを可能にする。例えば、アクセサリが無線アクセサリバス２０２に固定的に取り付けられている際には、双方向通信チャンネルが確立されてもよい。
【００２５】
図２に示されるように、用語「無線アクセサリバス」は、概して、アクセサリを固定的に受けるように構成されたユーザデバイス２００の領域を示す。無線アクセサリバス２０２は、１つ以上の電力送信器２０４、１つ以上の無線送受信器２０６及び／又は１つ以上の磁石２０８（併せて「バスコンポーネント」と称する）を含み得る。
【００２６】
これらのバスコンポーネントのいくつかは、少なくとも部分的に露出していてもよい。例えば、（１つ以上の）磁石２０８は、ハウジング２１２内の（１つ以上の）開口部を通じて露出していてもよい。加えて又は代替として、これらのバスコンポーネントのいくつかは、ハウジング２１２内に固定され得る。そのような実施形態では、バスコンポーネントは、データ信号及び／又は電力信号がハウジング２１２を横断する際又はハウジング２１２内の切れ目２１０内に配された基板を横断する際に生じる信号劣化を補償するために選択されてもよい。該基板は、ガラス又はプラスチックのような光学的に明澄な基板であってもよい。
【００２７】
（１つ以上の）電力送信器２０４は、ハウジング２１２内に保持された電源（例えば、電池）から、有線又は無線の電気的結合を介して電力をアクセサリへと伝送するように構成される。例えば、（１つ以上の）電力送信器２０４は、アクセサリの１つ以上の電気接点に物理的に接触可能な１つ以上の電気接点（例えば、ピン端子）を含んでいてもよい。別の例としては、（１つ以上の）電力送信器２０４は、電力をユーザデバイスからアクセサリへと無線送信可能な集積回路（「チップ」）を含んでいてもよい。（１つ以上の）無線電力送信器２０４は、ワイヤレスパワーコンソーシアムによって開発されたＱｉ標準規格又はいくつかの他の無線電力標準規格に従って電力を送信するように構成されていてもよい。
【００２８】
（１つ以上の）無線送受信器２０６は、アクセサリの１つ以上の無線送受信器に通信可能に結合される。例示及び簡略化のために、用語「無線送受信器」は、データ送信、データ受信又はその両方が可能なコンポーネントを包含することが意図されている。さらに、単一の無線送受信器は、データ信号の送信及び受信を担う別個のコンポーネントを含み得る。
【００２９】
（１つ以上の）無線送受信器２０６は、アクセサリが無線アクセサリバス２０２に固定的に取り付けられていると判定した際に、アクセサリの（１つ以上の）無線送受信器との接続を自動的に開始するように構成されていてもよい。例えば、アクセサリが複数のデジタルカメラを含む場合、（１つ以上の）無線送受信器２０６は画像データをアクセサリから受信してもよい。いくつかの実施形態では、アクセサリに関連付けられたアプリケーションはまた、ネットワークアクセス可能な環境（例えば、ウェブサイト又はアプリケーションストアなどのデジタル配信プラットフォーム）からダウンロードされ得る、かつ／又は、アクセサリが無線アクセサリバス２０２に固定的に取り付けられているとの判定に応答して起動され得る。
【００３０】
多くの場合、無線アクセサリバス２０２は、アクセサリをユーザデバイス２００に固定的に取り付けることを可能にする係着コンポーネントを含む。ここでは、例えば、アクセサリがユーザデバイス２００に取り付けられた際に所定の向きになるように、（１つ以上の）磁石２０８が無線アクセサリバス２０２の周りに配置されている。しかしながら、他の材料及びコンポーネントもまた使用され得る。例えば、磁性膜がハウジング２１２の外側又は内側表面に堆積され得るか、機械的トラック、クリップ等がハウジング２１２に添着され得る。該所定の向きによって、アクセサリの無線送信器を、ユーザデバイス２００の（１つ以上の）無線送受信器２０６と整列させてもよく、該無線送受信機２０６のごく近傍に配置させてもよい。
【００３１】
ハウジング２１２はまた、典型的には、１つ以上の切れ目２１０を含む。これらの（１つ以上の）切れ目２１０は、ハウジング内の（１つ以上の）アンテナが信号を送受信することを可能にするために必要であり得るか、様式的／審美的目的のためのものであり得る。これらの（１つ以上の）切れ目２１０は、典型的には、ガラス又はプラスチックのような、信号をより容易に通過できるようにする非金属材料からなる基材層を含む。
【００３２】
図２に示すように、無線アクセサリバス２０２は、（１つ以上の）切れ目２１０のうち１つの中に又はその付近に配置され得る。このような実施形態では、１つ以上の発光ダイオード（ＬＥＤ）２１４が基板層の下方に配置されて、ユーザデバイス２００及び／又はアクセサリに関する情報を伝達するように構成されていてもよい。例えば、ＬＥＤ２１４は、アクセサリがユーザデバイス２００の近くに持ち込まれた際に点灯し、それによってアクセサリがどこに取り付けられるべきかを示す。別の例としては、ＬＥＤ２１４は、アクセサリが十分な電力を受信しているかどうか、アクセサリがユーザデバイスにデータ信号を伝送できるかどうか、アクセサリが現在使用可能かどうか等のような動作情報を伝達してもよい。
【００３３】
図３は、無線アクセサリバスを含むユーザデバイス３００ａ〜ｃに取り付けられた種々のアクセサリ３０２ａ〜ｃを示す。アクセサリ３０２ａ〜ｃは、通常、各アクセサリが修正なしで無線アクセサリバスに容易に取り付け及び取り外し可能となるように設計される。さらに、ユーザデバイスは、通常、ユーザデバイスとアクセサリとの間の通信チャンネルを自動的に確立して、アクセサリへの電力伝送を自動的に開始するように構成される。したがって、アクセサリは、ユーザデバイスを無線アクセサリバスへと取り付けてから即座に又は間もなく使用可能となってもよい。
【００３４】
上述のように、アクセサリ、ユーザデバイス又はその両方は、アクセサリとユーザデバイスとが互いに確実かつ取り外し可能に接続できるようにする係着コンポーネント（例えば、磁石又は機械的コネクタ）を含み得る。換言すれば、アクセサリ及びユーザデバイスは、容易に繰り返し互いに取り付け及び取り外し可能であってもよい。これにより、ユーザは、一連のアクセサリを単一のユーザデバイスにより連続して素早く利用することを選択し得る。
【００３５】
いくつかの実施形態では、アクセサリに関連付けられたアプリケーションは、アクセサリがユーザデバイスの無線アクセサリバスに取り付けられているとの判定に応答して開始される。例えば、アクセサリ３０２ａ（３６０°カメラ）又はアクセサリ３０２ｃ（マルチＬＥＤ照明源）を取り付けることによって、カメラアプリケーションを呼び出すことが促されてもよく、一方では、アクセサリ３０２ｂ（外部記憶デバイス）を取り付けることによって、データ記憶アプリケーションを呼び出すことが促されてもよい。
【００３６】
図４は、実質的に３６０°の視野を撮影可能な複数のデジタルカメラ４１０ａ〜ｂを有するカメラアクセサリ４００の正面、側面、背面図を含む。カメラアクセサリ４００は、画像を撮影するように構成されると共にハウジング４０２内に固定されている１つ以上のデジタルカメラを含み得る。これらの（１つ以上の）デジタルカメラによって撮影された画像は、典型的には、ユーザデバイスのカメラによって撮影された画像とは異なる特性を有する。例えば、これらの画像は、より高い解像度を有してもよく、本質的に３Ｄ／立体視画像等であってもよい。ここでは、例えば、複数のデジタルカメラ４１０ａ〜ｂが、実質的に３６０°の視野（「ＦＯＶ」）を有する画像を撮影するように配置されている。
【００３７】
いくつかの実施形態では、カメラアクセサリ４００は画像処理モジュールもまた含んでおり、この画像処理モジュールは、ユーザデバイスへと送信する前に画像データを分析して処理することが可能である。例えば、画像処理モジュールは、複数の別個のカメラによって撮影された画像をスティッチングするように構成されていてもよい。あるいは、未処理の画像データが、処理のためにユーザデバイスへと直接送信されてもよい。
【００３８】
カメラアクセサリ４００はまた、１つ以上の電力受信器４０４、１つ以上の無線送受信部４０６及び１つ以上の磁石４０８（併せて「アクセサリコンポーネント」と称する）を含み得る。これらのアクセサリコンポーネントのうちのいくつかは、少なくとも部分的に露出され得る。例えば、（１つ以上の）磁石４０８は、ハウジング４０２内の開口を通して露出されてもよい。加えて又は代替として、これらのアクセサリコンポーネントのいくつかは、ハウジング４０２内に固定され得る。
【００３９】
（１つ以上の）電力受信器４０４は、ユーザデバイスのようなアクセサリから外部のソースによって伝送される電力を受信するように構成され得る。上述したように、電力は、（例えば、電気接点の物理的結合による）物理的接続又は（例えば、電力送信器チップによる）無線接続を介して伝送され得る。（１つ以上の）無線送受信器４０６は、データ信号をユーザデバイスの（１つ以上の）無線送受信器へと送信するように動作可能である。一方、（１つ以上の）磁石４０８は、カメラアクセサリ４００がユーザデバイスの無線アクセサリバスに固定的に取り付けられることを可能にする。多くの場合、ユーザデバイスは、カメラアクセサリ４００とユーザデバイスとが、ごく近傍の範囲内に配置された際に互いに向かって引き寄せられるように、同様の配置にて配された（１つ以上の）磁石を含むことになる。
【００４０】
なお、カメラアクセサリ４００は、ユーザデバイスに取り付け可能なアクセサリの単なる一例である。他のアクセサリには、深度センサ／カメラ、外部記憶デバイス、補助電源、赤外線センサ／カメラ、レーザ距離計、構造化光３次元（３Ｄ）スキャナ、メモリカードリーダ、オーディオ出力（例えば、スピーカー、ヘッドホン）又は補助ディスプレイ（例えば、電子インクディスプレイ又はＬＣＤディスプレイ）が含まれ得る。当業者であれば、異なる機能を提供する多くの他のアクセサリが、本明細書に記載の技術を利用し得ることを理解するであろう。
【００４１】
図５は、ユーザデバイス５００及びアクセサリ５５０の例示的なコンポーネントを示す高レベルブロック図である。ユーザデバイス５００及びアクセサリ５５０の種々の実施形態は、これらのコンポーネントのいくつか又は全てを含み得ると共に、ここには図示されていない追加のコンポーネントもまた含み得る。
【００４２】
ユーザデバイス５００は、１つ以上のプロセッサ５０４、無線送受信器５０６、電力送信器５０８、電力受信器５１０、ディスプレイ５１２、メモリ５１４、及び／又は、電力インタフェース５１８に電気的に結合された電源５１６を含み得る。これらのコンポーネントは、１つ以上の磁石５２０を含むハウジング５０２内に保持することができ、これらの磁石５２０は、アクセサリ５５０を固定的に受けるように配置されている。無線送受信器５０６は、アクセサリ５５０の無線送受信器５５６との無線接続を自動的に確立するように構成され得る。無線送受信器５０６，５６６は、アクセサリ５５０とユーザデバイス５００との間でデータを送信可能にする。より詳細には、（１つ以上の）無線送受信器５０６，５５６は、近距離通信（ＮＦＣ）、無線ユニバーサルシリアルバス（ＵＳＢ）、Ｂｌｕｅｔｏｏｔｈ、ＷｉＦｉ、セルラーデータプロトコル（例えば、３Ｇ又は４Ｇ）又は独自のポイント・ツー・ポイント・プロトコルのような双方向通信プロトコルを使用して、互いに通信してもよい。
【００４３】
いくつかの実施形態では、アクセサリ５５０は専用電源を含んでおらず、そのため、ユーザデバイス５００から電力を受信する必要がある。電力送信器５０８は、ユーザデバイス５００の電源５１６からアクセサリ５５０へと電力を伝送するように構成されていてもよい。例えば、ユーザデバイスの電力送信器５０８及びアクセサリ５５０の電力受信器５５８は、（例えば、電気的接点による）物理的接続又は（例えば、電力送信チップによる）無線接続を介して、互いに電気的に結合されていてもよい。
【００４４】
アクセサリ５５０はまた、アクセサリがユーザデバイス５００の補助電源として機能することを可能にする補助電源５６０及び電力送信器５６２を含み得る。このような実施形態では、ユーザデバイスは、アクセサリ５５０から（例えば、無線又は電気的接点を介して）電力を受信可能な電力受信器５１０を含む。多くの場合、ユーザデバイス５００は、ディスプレイ５１０、メモリ５１４及び電力インタフェース５１８（例えば、物理的電力ポート又はＱｉ準拠無線受信器）に電気的に結合された電源５１６を含む。メモリ５１４は、例えば、ユーザデバイス５００によって実行されるオペレーティングシステムと、種々のアクセサリに関連する１つ以上のアプリケーションとを含み得る。ユーザデバイス５００は、対応するアクセサリが無線アクセサリバスに取り付けられていると判定した際に、特定のアプリケーションを呼び出すように構成されていてもよい。一方、電源５１６は、充電式リチウムイオン（Ｌｉ−Ｉｏｎ）電池、充電式ニッケル金属水素化物（ＮｉＭＨ）電池、充電式ニッケルカドミウム（ＮｉＣａｄ）電池又は電子ユーザデバイスに適した任意の他の電源を含んでいてもよい。
【００４５】
いくつかの実施形態では、無線アクセサリバスは、複数のアクセサリをユーザデバイス５００に同時に取り付けて該ユーザデバイス５００が使用できるように設計されている。例えば、ユーザは、図３のカメラアクセサリ３０２ａ及び外部記憶アクセサリ３０２ｂを同時に利用することを選択してもよい。そのような実施形態では、（１つ以上の）磁石５２０及び／又は無線送受信器５０６は、複数のアクセサリをスループット又は性能を損なうことなく利用できるように配置されていてもよい。
【００４６】
アクセサリ５５０は、１つ以上のプロセッサ５５４、無線送受信器５５６、電力受信器５５８、補助電源５６０、電力送信器５６２、メモリ５６４、１つ以上のデジタルカメラ５６６、画像処理モジュール５６８、及び／又は、ディスプレイ５７０を含み得る。これらのコンポーネントは、１つ以上の磁石５７２を含むハウジング５５２内に保持することができ、これらの磁石５７２は、アクセサリ５５０を電子デバイス５００に固定的に取り付けることができるように配置されている。
【００４７】
上述したように、アクセサリ５５０の種々の実施形態は、これらのコンポーネントのいくつか又は全てを含み得ると共に、ここには図示されていない他の追加のコンポーネントもまた含み得る。例えば、ユーザデバイス５００への補助ディスプレイとして機能するように意図されたアクセサリは、（１つ以上の）プロセッサ５５４、無線送受信器５５６、電力受信器５５８、メモリ５６４、及びディスプレイ５７０を含んでいてもよい。別の例として、画像を撮影するように設計されたアクセサリは、（１つ以上の）プロセッサ５５４、無線送受信器５５６、電力受信器５５８、メモリ５６４、（１つ以上の）デジタルカメラ５６６及び画像処理モジュール５６８を含んでいてもよい。
【００４８】
なお、いくつかの実施形態では、アクセサリ５５０（又はそのコンポーネントのいくつかのサブセット）が、ユーザデバイス用に設計されたケース、カバー又はクリップに統合され得る。すなわち、ケース、カバー、クリップ等は、ユーザデバイス５００に添着された際に無線アクセサリバスを使用するように設計されていてもよい。例えば、補助電源５６０又は追加のメモリ５６４が、携帯電話用のケースに統合され得る。補助電源５６０及び／又は追加のメモリ５６４は、携帯電話がケース内に留まっている限り、携帯電話によって使用可能であってもよい。
【００４９】
図６は、アクセサリが取り外し可能に接続され得る無線アクセサリバスを含むユーザデバイスを製造するプロセス６００を示す。まず、ユーザデバイス内に存在する種々のコンポーネント（例えば、センサ、コネクタ、電源）を保護するように設計されたハウジングを（例えば、製造業者が）受け取る（ステップ６０１）。いくつかの実施形態では、ハウジング内に切れ目を生成する（ステップ６０２）。該切れ目は、ハウジング内の（１つ以上の）アンテナが信号を送受信することを可能にするために必要であってもよく、様式的／審美的目的のためのものであってもよい。
【００５０】
次に、ハウジングに係着コンポーネントを添着することができる。例えば、いくつかの実施形態では、該切れ目の近くのハウジング内面に１つ以上の磁石を固定する（ステップ６０３）。これらの（１つ以上の）磁石は、機械的なクリップ又はコネクタを用いずにアクセサリをハウジングに固定的に取り付け可能にする。加えて又は代替として、ハウジングの外面又は内面に沿って磁性膜を堆積させてもよい。ユーザデバイスは、電力送信器及び／又は無線送受信器が切れ目内又は切れ目付近に配置されるように設計することもできる（ステップ６０４）。図２に示すように、（１つ以上の）係着コンポーネント（例えば、磁石）、電力送信器及び／又は無線送受信器は、アクセサリを磁気的、電気的及び／又は通信可能に結合可能な無線アクセサリバスを併せて形成する。
【００５１】
続いて、無線アクセサリバスを含むユーザデバイスを組み立てて、ユーザに提供することができる（ステップ６０５）。無線アクセサリバスは、ユーザがアクセサリからユーザデバイスを容易かつ繰り返し取り付け及び取り外し可能にする（ステップ６０６）。例えば、ユーザがアクセサリ及びユーザデバイスを互いにごく近傍となる範囲内に持ち込んだ際に、ハウジングの内面に固定された（１つ以上の）磁石が、アクセサリを無線アクセサリバス側へと磁気的に引き寄せてもよい。アクセサリがユーザデバイスに取り付けられている際には、ユーザデバイスは、ユーザが該アクセサリによって可能になる新たな又は改善された機能を自動的に利用できるようにしてもよい（ステップ６０７）。例えば、ユーザデバイスは、ハードウェア又はソフトウェアの修正／インストールを行うことなく、カメラアクセサリを使用して画像を撮影したり、スピーカアクセサリを使用して音声を発音したりすることが可能になってもよい。
【００５２】
図７は、アクセサリによって可能になる新たな機能又は改善された機能をユーザデバイスが利用できるようにするプロセス７００を示す。まず、ユーザは無線アクセサリバスを含むユーザデバイスを取得する（ステップ７０１）。ユーザデバイスは、例えば、図２のユーザデバイス２００であってもよく、任意の他の適切な電子デバイスであってもよい。無線アクセサリバスは、ユーザがアクセサリをユーザデバイスに取り付けることを可能にする（ステップ７０２）。アクセサリとユーザデバイスとは、互いに（例えば、クリップ、コネクタ、又は機械的なトラックを介して）磁気的に接着されてもよく、物理的に結合されてもよい。
【００５３】
典型的には、ユーザデバイスは、アクセサリが無線アクセサリバスに取り付けられているかどうかを継続的に監視する（ステップ７０３）。例えば、ユーザデバイス内のプロセッサは、アクセサリが無線アクセサリバス上又はその付近に配置された時点を検出するように構成されていてもよい。より詳細には、ユーザデバイス内の無線送受信器は、別の無線送受信器が所定の近傍範囲内に来た時点を検出し、それによってアクセサリの存在を示してもよい。アクセサリが無線アクセサリバスに取り付けられた際に、ユーザデバイスは、ユーザデバイスの電源をアクセサリの電力受信器に電気的に結合することができる（ステップ７０４）。例えば、ユーザデバイスの電源は、電力をアクセサリの電力受信器に無線伝送するように構成された電力送信器に結合されてもよい。
【００５４】
ユーザデバイスはまた、ユーザデバイスの無線送受信器をアクセサリの無線送受信器に通信可能に結合するように構成されていてもよい（ステップ７０５）。無線送受信器は、２つのコンポーネント間の物理的接続を用いずに、ユーザデバイスとアクセサリとを互いに通信可能にし得る。ユーザデバイスとアクセサリとの間の通信チャンネルを開始した後に、ユーザデバイスは、ユーザデバイスが該アクセサリによって可能になる新たな又は改善された機能を利用できるようにし得る（ステップ７０６）。いくつかの実施形態では、このことが、さらなるユーザ入力を必要とすることなく自動的に行われる。すなわち、ユーザは、物理的なコンポーネントを手動で接続／修正する又は適切なソフトウェアをインストールすることなく、アクセサリを利用することが可能になってもよい。例えば、ユーザデバイスは、外部記憶アクセサリによって提供される追加のメモリを自動的に認識して利用してもよい。
【００５５】
物理的可能性に反しない限り、上記のステップは、種々の順序及び組み合わせで実行され得ることが想定される。例えば、アクセサリが自身の電力を含んでいる場合には、ユーザデバイスは、アクセサリとの電気的結合を形成していなくてもよい。いくつかの実施形態では、他のステップが含まれていてもよい。例えば、ユーザデバイスは、無線アクセサリバスに取り付けられたアクセサリに関連付けられたアプリケーションを自動的に開始してもよい。より詳細には、カメラアクセサリ（例えば、図４のカメラアクセサリ４００）がユーザデバイスに取り付けられた際に、ユーザデバイス（及び、より詳細には、ユーザデバイスによって実行されるオペレーティングシステム）は、カメラアプリケーション及び／又は画像処理アプリケーションを呼び出して実行してもよい。
【００５６】
処理システム
図８は、本明細書に記載の少なくとも一部の動作を実装可能な処理システム８００の一例を示すブロック図である。コンピュータシステムは、１つ以上の中央処理装置（「プロセッサ」）８０２と、メインメモリ８０６と、不揮発性メモリ８１０と、ネットワークアダプタ８１２（例えば、ネットワークインタフェース）と、ビデオディスプレイ８１８と、入力／出力デバイス８２０と、制御デバイス８２２（例えば、キーボード及びポインティングデバイス）と、記憶媒体８２６を含むドライブユニット８２４と、バス８１６に通信可能に接続された信号生成デバイス８３０とを含む。バス８１６は、適切なブリッジ、アダプタ、又はコントローラによって接続された任意の１つ又は複数の別個の物理バス、ポイント・ツー・ポイント接続又はそれらの両方を表す抽象概念として示されている。したがって、バス８１６は、例えば、システムバス、周辺機器相互接続（ＰＣＩ）バス又はＰＣＩ−Ｅｘｐｒｅｓｓバス、ＨｙｐｅｒＴｒａｎｓｐｏｒｔ又は業界標準アーキテクチャ（ＩＳＡ）バス、小型計算機システムインタフェース（ＳＣＳＩ）バス、ユニバーサルシリアルバス（ＵＳＢ）、ＩＩＣ（Ｉ２Ｃ）バス又は電気電子技術者協会（ＩＥＥＥ）規格１３９４バス（「Ｆｉｒｅｗｉｒｅ」とも称される）を含み得る。
【００５７】
種々の実施形態において、処理システム８００は、ユーザデバイス（例えば、図２のユーザデバイス２００）の一部として動作するが、処理システム８００は、ユーザデバイスに（例えば、有線又は無線で）接続されていてもよい。ネットワーク化された配置では、処理システム８００は、クライアント−サーバネットワーク環境におけるサーバ若しくはクライアントマシンとして、又は、ピアツーピア（若しくは分散型）ネットワーク環境におけるピアマシンとして動作してもよい。
【００５８】
処理システム８００は、サーバコンピュータ、クライアントコンピュータ、パーソナルコンピュータ（ＰＣ）、タブレットＰＣ、ラップトップコンピュータ、パーソナルデジタルアシスタント（ＰＤＡ）、携帯電話、ｉＰｈｏｎｅ（登録商標）、ｉＰａｄ（登録商標）、Ｂｌａｃｋｂｅｒｒｙ（登録商標）、プロセッサ、電話、ウェブアプライアンス、ネットワークルータ、スイッチ若しくはブリッジ、コンソール、ハンドヘルドコンソール、ゲームデバイス、音楽プレーヤー、任意の携帯式デバイス、又は、処理システムによって行われるアクションを指定する命令セットを（逐次に又は他の方法で）実行可能な任意の機械であってもよい。
【００５９】
メインメモリ８０６、不揮発性メモリ８１０及び記憶媒体８２６（「機械可読媒体」とも称される）は、単一の媒体として示されているが、用語「機械可読媒体」及び「記憶媒体」は、１つ以上の命令セット８２８を記憶する単一の媒体又は複数の媒体（例えば、集中型又は分散型データベース、及び／又は、関連するキャッシュ及びサーバ）を含むと解されるべきである。用語「機械可読媒体」及び「記憶媒体」は、コンピュータシステムによって実行するための命令セットを記憶、符号化又は搬送することが可能な、本明細書にて開示される実施形態のうち任意の１つ以上の方法をコンピュータシステムに実行させる任意の媒体を含むと解されるべきである。
【００６０】
通常、本開示の実施形態を実装するために実行されるルーチンは、オペレーティングシステムの一部として、又は、「コンピュータプログラム」と称される特定のアプリケーション、コンポーネント、プログラム、オブジェクト、モジュール若しくは命令シーケンスとして実装されてもよい。コンピュータプログラムは、典型的には、コンピュータにおける種々のメモリ及び記憶デバイス内に種々の時点でセットされる１つ以上の命令（例えば、命令８０４，８０８，８２８）を備えており、１つ以上の処理ユニット又はプロセッサ８０２により読み取られて実行された時に、本開示の種々の態様を伴う要素を実行する動作を処理システム８００に実行させる。
【００６１】
さらに、実施形態は、完全に機能するコンピュータ及びコンピュータシステムの文脈にて説明されているが、当業者であれば、種々の実施形態が種々の形態のプログラム製品として配布可能であり、実際に配布を行うために使用されるマシン又はコンピュータ可読媒体の特定のタイプにかかわらず、本開示が等しく適用されることを理解するであろう。
【００６２】
機械可読記憶媒体、機械可読媒体又はコンピュータ可読（記憶）媒体のさらなる例としては、以下に限定されないが、揮発性及び不揮発性メモリデバイス８１０、フロッピー（登録商標）及び他のリムーバブルディスク、ハードディスクドライブ、光学ディスク（例えば、コンパクトディスク読み出し専用メモリ（ＣＤ−ＲＯＭ）、デジタル多用途ディスク（ＤＶＤ））のような記録可能タイプの媒体、並びに、デジタル及びアナログ通信リンクのような伝送タイプの媒体が含まれる。
【００６３】
ネットワークアダプタ８１２は、処理システム８００が、処理システム８００及び外部エンティティによってサポートされる任意の既知の及び／又は便宜的な通信プロトコルを介して、ネットワーク８１４内のデータを処理システム８００外部のエンティティに仲介することを可能にする。ネットワークアダプタ８１２は、ネットワークアダプタカード、無線ネットワークインタフェースカード、ルータ、アクセスポイント、無線ルータ、スイッチ、マルチレイヤスイッチ、プロトコルコンバータ、ゲートウェイ、ブリッジ、ブリッジルータ、ハブ、デジタルメディア受信器及び／又はリピータのうちの１つ以上を含むことができる。
【００６４】
ネットワークアダプタ８１２は、ファイアウォールを含むことができる。該ファイアウォールは、いくつかの実施形態では、コンピュータネットワーク内のデータにアクセス／プロキシする許可を統御及び／又は管理できると共に、異なるマシン及び／又はアプリケーション間の種々の信頼レベルを追跡することができる。ファイアウォールは、特定のマシンのセットとアプリケーションとの間、マシン同士の間、及び／又は、アプリケーション同士の間における既定のアクセス権限のセットを実施することによって、例えば、これらの種々のエンティティ間のトラフィック及びリソース共有のフローを統制することが可能なハードウェア及び／又はソフトウェアコンポーネントの任意の組み合わせを有する任意の数のモジュールであり得る。加えて、ファイアウォールは、アクセス制御リストを管理及び／又はアクセス制御リストにアクセスしてもよい。該アクセス制御リストは、例えば、個人、マシン及び／又はアプリケーションによるオブジェクトのアクセス権限及び操作権限を含む許可、並びに、許可権限が有効な状況を詳細に決定する。
【００６５】
上述のように、本明細書にて提示した技術は、例えば、ソフトウェア及び／又はファームウェアによりプログラムされたプログラマブル回路（例えば、１つ以上のマイクロプロセッサ）によって実装されるか、全て専用のハードウェア組み込み（すなわち、非プログラマブル）回路内に実装されるか、又は、そのような形態の組み合わせにて実装される。専用回路は、例えば、１つ以上の特定用途向け集積回路（ＡＳＩＣ）、プログラマブルロジックデバイス（ＰＬＤ）、フィールドプログラマブルゲートアレイ（ＦＰＧＡ）等の形態であり得る。
【００６６】
備考
種々の実施形態についての前述の説明は、例示及び説明のために提供されたものである。該説明は、網羅的であることや、特許請求された主題を開示された正確な形態に限定することを意図したものではない。多くの改変及び変形は、当業者には明らかであろう。実施形態は、本発明の原理及びその実際の応用を最も良く説明するために選択及び記載されており、そのため、関連技術の当業者は、特許請求された主題、種々の実施形態及び考慮される特定の用途に適した種々の修正を、これらの実施形態から理解することができる。
【００６７】
上記の詳細な説明では、特定の実施形態及び考慮される最良の形態について説明しているが、上記にてどの程度まで文章中に詳細に開示されているかにかかわらず、それらの実施形態は多くの方法にて実施され得る。システム及び方法の詳細は、それらの実装の詳細において相当に変化することがあるが、それらは依然として本明細書に包含される。上述したように、種々の実施形態における特定の機能又は態様を説明する際に使用される特定の用語は、本明細書において、関連する本発明の特定の特徴、機能、又は態様に限定されるようにその用語が再定義されることを暗に意味するものとして理解されるべきではない。全体として、以下の特許請求の範囲にて使用される用語は、本明細書で明示的に定義されていない限り、本発明を本明細書に開示される特定の実施形態にまで限定するように解釈されるべきではない。したがって、本発明の実際の範囲は、開示の実施形態だけでなく、特許請求の範囲に基づく実施形態を実施又は実装する全ての均等な方法を包含する。
【００６８】
本明細書で使用される言語は、主に可読性及び教示目的のために選択されたものであって、本発明の主題を線引き又は制限するために選択されていないことがある。したがって、本発明の範囲は、この詳細な説明によってではなく、本明細書に基づく出願において発行される任意の請求項によって限定されることが意図される。したがって、種々の実施形態の開示は、以下の特許請求の範囲に記載される実施形態の範囲を例示するものであって、それらを限定するものではないことが意図される。
【図１Ａ】
2019506765.tif 000002
【図１Ｂ】
2019506765.tif 000003
【図２】
2019506765.tif 000004
【図３】
2019506765.tif 000005
【図４】
2019506765.tif 000006
【図５】
2019506765.tif 000007
【図６】
2019506765.tif 000008
【図７】
2019506765.tif 000009
【図８】
2019506765.tif 000010
【国際調査報告】
2019506765.tif 000011